(57)【特許請求の範囲】
【請求項１】
ボビンに卷回したコイルの外周を覆うモールド樹脂の外被を有し、ボビンの一方の鍔側で半径方向の外側へ突出させてリード線の引き出し部をモールド樹脂により外被に連ねて形成しており、コイルに接続されるリード線が引き出し部を挿通して外へ引き出されるソレノイドであって、リード線とコイルを接続する中継金具を装着する装着片を有してモールド樹脂中に埋め込まれる中継部材を設け、中継部材は中継金具を装着片に沿って配置すると共に、装着片の一端で起立する起立片を有し、さらに起立片の両縁には起立片とコの字状に連設して起立片の背面に対向するつかみ片を形成し、ボビンの一方の鍔には半径方向外方へ延びる突出片を設け、起立片と突出片には、起立片とつかみ片の間に突出片の両縁を挟み込むよう嵌め込むことで相互に嵌入する突起と孔を設け、突起の孔への嵌入により装着片が引き出し部の基端側位置近傍のモールド樹脂中でボビンの軸線に沿って延在するよう中継部材をボビンの一方の鍔に取り付けたことを特徴とするソレノイド。
【発明の詳細な説明】
【０００１】
【発明の属する技術分野】
本発明は、ボビンに卷回したコイルの外周を覆うモールド樹脂の外被を有し、ボビンの一方の鍔側で半径方向の外側へ突出させてリード線の引き出し部をモールド樹脂により外被に連ねて形成しており、コイルに接続されるリード線がこの引き出し部を挿通して外へ引き出されるソレノイドに関するものであり、そのうちで、特に、防水性に意を払ったソレノイドに関する。
【０００２】
【従来の技術】
図８から図９で、従来のソレノイド４１を説明する。４２は鍔４２Ａ、４２Ｂ間にコイル４３を卷回したボビンで、これらは、コイル４３の外周を覆うよう装着したモールド樹脂による外被４４により一体的に固定されている。鍔４２Ａは、半径方向へ延びる突出片４２Ｃを有しており、二つの中継金具４５が突出片４２Ｃに沿って配置され、それぞれかしめ金具４６により突出片４２Ｃに取り付けられている。中継金具４５にはリード線４７と、コイル４３での巻き始め側、巻き終わり側の各ワイヤー端がそれぞれ導かれて半田付けされ、これによりリード線４７とコイル４３が中継金具４５を介して接続されている。
【０００３】
４８は外被４４に連なって、モールド樹脂により形成された引き出し部で、突出片４２Ｃを覆って外被４４から半径方向の外側へ突出するよう膨出形成され、その突出端面からリード線４７が外へ引き出されている。４９は、このように外被４４が装着され引き出し部４８が形成されたボビン４２とコイル４３の一体物を収容するケースで、その開口部４９Ａから引き出し部４８が突出している。５０は固定鉄心で、固定鉄心５０には内部に可動鉄心５１を収容する筒体５２が一体的に接続されており、これらは、ボビン４２の中孔４２Ｄを挿通して止めナット５３により組付けられている。５４、５５、５６は端板で、ケース４９は端板５４、５５、５６とともに磁路を形成するよう磁気抵抗の低い金属材料で形成されており、５７は、可動鉄心５１の作動で図示しない電磁弁の弁体を駆動するための押し棒である。
【発明が解決しようとする課題】
【０００４】
このソレノイド４１では、中継金具４５が半径方向外方へ延びる突出片４２Ｃに、これに沿って配置され取り付けられており、さらにまた、中継金具４５に接続されるリード線４７は、モールド成形の際、モールド樹脂で中継金具４５に押し付けられることが多いので、モールド樹脂中に埋め込まれたリード線４７が引き出される引き出し部４８の突出端面から中継金具４５に達するまでリード線４７に沿った距離が短くなる。このためソレノイド４１が水をかぶるような場合、リード線４７外周とモールド樹脂の間の微小な隙間を通る水が、前記のように距離が短いことでさほどの抵抗を受けずに容易に充電部となる中継金具４５に達して中継金具４５の外部との絶縁が保てなくなり、防水性において十分ではなかった。
【０００５】
本発明は、中継金具をリード線の引き出し側から遠く隔てて配置できて防水性が向上するソレノドを実現するものである。
【０００６】
【課題を解決するための手段】
ボビンに卷回したコイルの外周を覆うモールド樹脂の外被を有し、ボビンの一方の鍔側で半径方向の外側へ突出させてリード線の引き出し部をモールド樹脂により外被に連ねて形成しており、コイルに接続されるリード線が引き出し部を挿通して外へ引き出されるソレノイドであって、リード線とコイルを接続する中継金具を装着する装着片を有してモールド樹脂中に埋め込まれる中継部材を設け、中継部材は中継金具を装着片に沿って配置すると共に、装着片の一端で起立する起立片を有し、さらに起立片の両縁には起立片とコの字状に連設して起立片の背面に対向するつかみ片を形成し、ボビンの一方の鍔には半径方向外方へ延びる突出片を設け、起立片と突出片には、起立片とつかみ片の間に突出片の両縁を挟み込むよう嵌め込むことで相互に嵌入する突起と孔を設け、突起の孔への嵌入により装着片が引き出し部の基端側位置近傍のモールド樹脂中でボビンの軸線に沿って延在するよう中継部材をボビンの一方の鍔に取り付けたことを特徴とする。
【０００７】
このようにした本発明のものでは、中継金具は中継部材の装着片に、該装着片に沿って配置されまた、この装着片は引き出し部の基端側位置近傍のモールド樹脂中にボビンの軸線に沿って配置されるので、中継金具は引き出し部の半径方向内側の深い位置に配置されてリード線の引き出し側から遠く隔てさせることができる。これにより該引き出し側から中継金具近傍に達するまでのリード線に沿った距離を大きくできて、リード線外周とモールド樹脂間の微小隙間を水が通る際の抵抗が大きくなり、水は容易には中継金具に達しなくなる。
【０００８】
【実施態様】
以下本発明の実施態様を図１から図７により説明する。図１において、１はソレノイドで、２は鍔２Ａ、２Ｂ間にコイル３を卷回したボビンである。これらボビン２とコイル３は、筒体４とその両端に配置した端板５、６の内部に収容され、なおこのとき、詳細には図示してないが、筒体４には図１の上側で軸方向へ沿った開口が有り、ボビン２の鍔２Ａに設けた半径方向外方へ延びる突出片２Ｃがこの開口から突出するようになっている。７はこの鍔２Ａの突出片２Ｃの部分に取り付けられた中継部材で、リード線８とコイル３を接続する中継金具９を装着している。１０はモールド樹脂による外被である。この外被１０は、筒体４の外周と端板５、６の外側を覆うとともに、筒体４の内部でコイル３の外周を覆ってモールド成形により装着形成されており、これにより、ボビン２、コイル３、筒体４及び端板５、６を相互に固定して一体的なコイル組立体１１を形成している。さらに、鍔２Ａの突出片２Ｃや中継部材７をモールド樹脂内部に埋め込むように外被１０から半径方向外側へ突出する引き出し部１２が外被１０に連なってモールド樹脂により一体形成されており、リード線８は、引き出し部１２の、半径方向外方の突出端面から外に引き出されている。なお、筒体４、端板５、６は磁路を形成するよう磁気抵抗の低い金属材料で形成される。
【０００９】
１３は固定鉄心で、１４は固定鉄心に固着されて内部に可動鉄心１５を軸方向へ移動可能に収容した収容筒であり、これら固定鉄心１３と収容筒１４の一体物は、ボビン２の中孔２Ｄに嵌挿されるようコイル組立体１１を挿通してナット体１６によりコイル組立体１１と組付けられている。また、１７は、可動鉄心１４の固定鉄心１３への吸引移動により、図示しない電磁弁の弁体を作動させる押し棒である。
【００１０】
図４から図６で中継部材７を詳細に説明する。中継部材７は合成樹脂による一体成形品であり、装着片７Ａと、装着片７Ａの一端で起立する起立片７Ｂと、これらに連設した補強片７Ｃを有する。装着片７Ａには、二つの中継金具９を該装着片７Ａに沿って配置し、それぞれかしめ金具７Ｘにより装着している。７Ｄはコイル３の巻き始め側端のワイヤ─を導く溝で装着片７Ａに設けてある。そして、起立片７Ｂの背面には、二つの突起７Ｅが形成され、さらに、起立片７Ｂの両縁には、起立片７Ｂとコの字状に連設して起立片７Ｂの背面に対向するつかみ片７Ｆが形成されている。
【００１１】
一方、図３に示すように鍔２Ａの突出片２Ｃには、突起７Ｅに対応し、これら突起７Ｅが嵌入する孔２Ｅが設けてある。そして、中継部材７の鍔２Ａへの取り付けに当たっては、コイル３を卷回したボビン２の鍔２Ａの突出片２Ｃ突出端側から、起立片７Ｂとつかみ片７Ｆの間に突出片２Ｃの両縁を挟み込むよう嵌め込んで中継部材７を半径方向内方へ押し進めると、図７のように突起７Ｅが孔２Ｅに嵌入し、この状態で中継部材７の鍔２Ａへの取り付けが完了する。またこれにより、突出片２Ｃ、孔２Ｅ、起立片７Ｂ、つかみ片７Ｆ、突起７Ｅにより、中継部材７の取り付けのための取り付け部１８が形成されるものである。
【００１２】
上記のように中継部材７が取り付けられたとき、中継部材７の装着片７Ａは、ボビン２の軸線に沿った状態でコイル３の外側に延在する。そして、半径方向においてこの装着片７Ａは、後のモールド樹脂の成形で得られる引き出し部１２の外被１０から突出する基端側位置よりも若干内側となる、引き出し部１２突出端面から内側へ深い位置でモールド樹脂内に埋め込まれるように、前記取り付け部１８での孔２Ｅの位置が定めてある。そして、装着片７Ａの各中継金具９には、図７に示すように、コイル３からの巻き始め側、巻き終わり側各端のワイヤ−Ｗがそれぞれからげる等された上で半田付けされ、また、リード線８がそれぞれ半田付けされて、リード線８とコイル３が中継金具７により接続されるのである。
【００１３】
このような本実施態様によると、モールド樹脂の成形により得られるコイル組立体１１において、中継部材７の装着片７Ａが、引き出し部１２の外被１０から突出する基端側位置よりも半径方向で若干内側となる、引き出し部１２の突出端面から内側に深い位置で、ボビン２の軸線に沿って配置される。この結果、リード線８が引き出される引き出し部１２の該突出端面から、装着片７Ａに装着される中継金具９までの距離が大きくなって引き出し端から中継金具９に達するまでのリード線８に沿った距離が大きくなる。このためリード線８外周とモールド樹脂間の微小な隙間を通る水は、距離が大きくなることで大きな抵抗を受け容易には中継金具９に達しなくなり、防水性が向上する。
【００１４】
また、中継部材７の鍔２Ａへの取り付けは、起立片７Ｂとつかみ片７Ｆの間に突出片２Ｃの両縁を挟み込むよう嵌め込んで中継部材７を半径方向内方へ押し進めると突起７Ｅが孔２Ｅに嵌まって取り付けが行われるので手間がかからず簡単に行うことができる。そして、中継部材７とボビン２は別部材としたので、これらを一体の部材として製作する場合と比較すると、型成形により簡単に製作することができる利点がある。なお、装着片７Ａは、このものでは、引き出し部１２の基端側位置よりも半径方向で若干内側となるようにモールド樹脂内に埋め込まれているが、必要に応じて引き出し部１２の基端側位置よりも半径方向で若干外側に位置させることもできて、必要に応じ、引き出し部１２の基端側位置の近傍に配置させればよい。
【００１５】
【発明の効果】
このように本発明のソレノイドによると、中継金具は中継部材の装着片に、該装着片に沿って配置されまた、この装着片は引き出し部の基端側部分近傍のモールド樹脂中にボビンの軸線に沿って配置されるので、中継金具は引き出し部の半径方向内側の深い位置に配置されてリード線の引き出し側から遠く隔てさせることができ、リード線の外周とモールド樹脂間の隙間を通る水は容易には中継金具に達しなくなって防水性が向上する。また、中継部材のボビンの一方の鍔への取り付けは、起立片とつかみ片の間に突出片の両縁を挟み込むよう嵌め込んで中継部材を半径方向内方へ押し進めると突起が孔に嵌まって取り付けが行われるので手間がかからず簡単に行うことができる。そして、中継部材とボビンを別部材としたので、両者を一体とした場合と比較すると、製作が容易となる。
【図面の簡単な説明】
【図１】本発明の実施態様のソレノイドの図２の線Ａ−Ａに沿った断面図。
【図２】図１のものの右側面図。
【図３】図１のもののボビンの軸線と直交方向での断面図。
【図４】本発明の実施態様における中継部材の拡大平面図。
【図５】図４の線Ｂ−Ｂに沿った部分断面図。
【図６】本発明の実施態様における中継部材の拡大正面図。
【図７】本発明の実施態様における中継部材の取り付け状態を示した拡大図。
【図８】従来のソレノイドの断面図。
【図９】図８のもののボビンの軸線と直交方向での断面図。
【符号の説明】
１  ソレノイド
２  ボビン
２Ａ、２Ｂ  鍔部
３  コイル
７  中継部材
７Ａ  装着片
８  リード線
９  中継金具
１０  外被
１２  引き出し部
１８  取り付け部
【図１】
0004077545.tif 000002
【図２】
0004077545.tif 000003
【図３】
0004077545.tif 000004
【図４】
0004077545.tif 000005
【図５】
0004077545.tif 000006
【図６】
0004077545.tif 000007
【図７】
0004077545.tif 000008
【図８】
0004077545.tif 000009
【図９】
0004077545.tif 000010